【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
携帯通信端末宛ての少なくとも１つの送信を含む複数入力複数出力（ＭＩＭＯ）信号を、通信チャネルを介して、前記端末で受信する段階と、
受信された前記信号に基づいて、前記端末において、マルチユーザー信号対雑音比（ＭＵ−ＳＮＲ）を推定する段階と、
前記端末から、前記通信チャネルを示し、前記ＭＵ−ＳＮＲに基づくフィードバックを送信する段階と
を備え、
前記ＭＵ−ＳＮＲは、前記端末宛ての前記送信と前記信号の残りの成分との間の電力比を表し、前記信号の残りの成分は、１以上のその他の端末宛ての１以上の送信を含むと仮定され、
前記ＭＵ−ＳＮＲは、前記端末宛ての前記送信をプリコーディングするために前記端末が要求するプリコーディングベクトルと直交するプリコーディングベクトルをそれぞれ使用して、前記１以上のその他の端末宛ての前記１以上の送信がプリコードされるという仮定の下、計算され、
前記ＭＵ−ＳＮＲを計算することは、前記直交するプリコーディングベクトルの複数の候補の間で、前記ＭＵ−ＳＮＲを平均化する段階を含む、方法。
【請求項２】
前記ＭＩＭＯ信号は、ＮＴ個の送信アンテナを使用して基地局から送信され、
前記ＭＵ−ＳＮＲを計算することは、前記直交するプリコーディングベクトルのＮＴ−１個の候補について前記ＭＵ−ＳＮＲを計算する段階を有する請求項１に記載の方法。
【請求項３】
携帯通信端末宛ての少なくとも１つの送信を含む複数入力複数出力（ＭＩＭＯ）信号を、通信チャネルを介して、前記端末で受信する段階と、
受信された前記信号に基づいて、前記端末において、マルチユーザー信号対雑音比（ＭＵ−ＳＮＲ）を推定する段階と、
前記端末から、前記通信チャネルを示し、前記ＭＵ−ＳＮＲに基づくフィードバックを送信する段階と
を備え、
前記ＭＵ−ＳＮＲは、前記端末宛ての前記送信と前記信号の残りの成分との間の電力比を表し、前記信号の残りの成分は、１以上のその他の端末宛ての１以上の送信を含むと仮定され、
前記ＭＵ−ＳＮＲは、前記端末宛ての前記送信をプリコーディングするために前記端末が要求するプリコーディングベクトルと直交するプリコーディングベクトルをそれぞれ使用して、前記１以上のその他の端末宛ての前記１以上の送信がプリコードされるという仮定の下、計算され、
前記ＭＵ−ＳＮＲを計算することは、前記１以上のその他の端末宛ての前記１以上の送信に、電力レベルをそれぞれ割り当てる段階を有し、前記電力レベルのうちの少なくとも２つは、互いに異なっている方法。
【請求項４】
シングルユーザー信号対雑音比（ＳＵ−ＳＮＲ）を推定する段階を備え、
前記ＳＵ−ＳＮＲは、前記信号が前記端末宛てのみであるとの仮定の下で計算され、
前記フィードバックを送信する段階は、
前記ＳＵ−ＳＮＲに基づく第１フィードバック及び前記ＭＵ−ＳＮＲに基づく第２フィードバックを送信する段階を有する請求項１から３のいずれか一項に記載の方法。
【請求項５】
前記第１フィードバック及び前記第２フィードバックを送信する段階は、
前記第１フィードバック及び前記第２フィードバックのうちの一方を、前記第１フィードバック及び前記第２フィードバックのうちの他方に対して差分的にエンコードされているフォーマットで送信する段階を含む請求項４に記載の方法。
【請求項６】
前記第１フィードバック及び前記第２フィードバックを送信する段階は、互いに独立してエンコードされた前記第１フィードバック及び前記第２フィードバックを送信する段階を含む請求項４に記載の方法。
【請求項７】
前記第１フィードバック及び前記第２フィードバックを送信する段階は、
第１更新レートで前記第１フィードバックを送信する段階と、
前記第１更新レートとは異なる第２更新レートで前記第２フィードバックを送信する段階とを含む請求項４に記載の方法。
【請求項８】
前記フィードバックは、階数１のチャネル品質情報（ＣＱＩ）及び階数２のＣＱＩからなる群から選択される少なくとも１つのフィードバックの種類を含む請求項１から７のいずれか一項に記載の方法。
【請求項９】
受信機宛ての少なくとも１つの送信を含む複数入力複数出力（ＭＩＭＯ）信号を、通信チャネルを介して受信する前記受信機と、
受信された前記信号に基づいて、マルチユーザー信号対雑音比（ＭＵ−ＳＮＲ）を推定し、前記通信チャネルを示し前記ＭＵ−ＳＮＲに基づくフィードバックを計算するプロセッサと、
前記フィードバックを送信する送信機と
を備え、
前記ＭＵ−ＳＮＲは、前記受信機宛ての前記送信と前記信号の残りの成分との間の電力比を表し、前記信号の前記残りの成分は、１以上のその他の受信機宛ての１以上の送信を含むと仮定され、
前記プロセッサは、前記受信機宛ての前記送信をプリコーディングするための、前記受信機が要求するプリコーディングベクトルと直交するプリコーディングベクトルをそれぞれ使用して、前記１以上のその他の受信機宛ての前記１以上の送信がプリコードされるという仮定の下、前記ＭＵ−ＳＮＲを推定し、前記直交するプリコーディングベクトルの複数の候補の間で前記ＭＵ−ＳＮＲを平均化することによって前記ＭＵ−ＳＮＲを計算する
装置。
【請求項１０】
前記ＭＩＭＯ信号は、ＮＴ個の送信アンテナを使用して基地局から送信され、
前記プロセッサは、前記直交するプリコーディングベクトルのＮＴ−１個の候補について前記ＭＵ−ＳＮＲを計算する請求項９に記載の装置。
【請求項１１】
前記プロセッサは、シングルユーザー信号対雑音比（ＳＵ−ＳＮＲ）を推定し、
前記ＳＵ−ＳＮＲは、前記信号が前記受信機宛てのみであるとの仮定の下で計算され、
前記プロセッサは、前記ＳＵ−ＳＮＲに基づく第１フィードバック及び前記ＭＵ−ＳＮＲに基づく第２フィードバックを計算する請求項９又は１０に記載の装置。
【請求項１２】
前記プロセッサは、前記第１フィードバック及び前記第２フィードバックのうちの一方を、前記第１フィードバック及び前記第２フィードバックのうちの他方に対して差分的にエンコードされているフォーマットで計算する請求項１１に記載の装置。
【請求項１３】
前記プロセッサは、前記第１フィードバック及び前記第２フィードバックを互いに独立してエンコードする請求項１１に記載の装置。
【請求項１４】
前記フィードバックは、階数１のチャネル品質情報（ＣＱＩ）及び階数２のＣＱＩからなる群から選択される少なくとも１つのフィードバックの種類を含む請求項９から１３のいずれか一項に記載の装置。
【請求項１５】
請求項９から１４のいずれか一項に記載の装置を備える携帯通信端末。
【請求項１６】
携帯通信端末における信号を処理するチップセットであって、請求項９から１４のいずれか一項に記載の装置を備えるチップセット。
【手続補正２】
【補正対象書類名】明細書
【補正対象項目名】００７６
【補正方法】変更
【補正の内容】
【００７６】
上記の実施形態は、例示のために記載されており、本発明は、本明細書の上記の記載に特に限定されない。本発明の範囲は、上記の様々な構成の組み合わせ及びサブコンビネーションの両方を含み、また、当業者が上記の説明を読んで想到する従来の技術では開示されていない変形例及び改良についても本発明の範囲に含まれる。本願に参照によって組み込まれた文献は、本願を構成する要素の一部として考えられ卯が、参照によって組み込まれた文献に定義された言葉が、本明細書において明示的又は非明示的に定義された言葉と矛盾する場合には、本明細書に記載された定義のみを考慮する。
［項目１］
携帯通信端末宛ての少なくとも１つの送信を含む複数入力複数出力（ＭＩＭＯ）信号を、通信チャネルを介して、前記端末で受信する段階と、
受信された前記信号に基づいて、前記端末において、マルチユーザー信号対雑音比（ＭＵ−ＳＮＲ）を推定する段階と、
前記端末から、前記通信チャネルを示し前記ＭＵ−ＳＮＲに基づくフィードバックを送信する段階と
を備え、
前記ＭＵ−ＳＮＲは、前記端末宛ての前記送信と前記信号の残りの成分との間の電力比を表し、前記信号の残りの成分は、１以上のその他の端末宛ての１以上の送信を含むと仮定される方法。
［項目２］
前記ＭＵ−ＳＮＲを推定する段階は、
前記端末宛ての前記送信をプリコーディングするために前記端末が要求するプリコーディングベクトルと直交するプリコーディングベクトルをそれぞれ使用して、前記１以上のその他の端末宛ての前記１以上の送信がプリコードされるという仮定の下、前記ＭＵ−ＳＮＲを計算する段階を有する項目１に記載の方法。
［項目３］
前記ＭＵ−ＳＮＲを計算する段階は、
前記直交するプリコーディングベクトルの複数の候補の間で、前記ＭＵ−ＳＮＲを平均化する段階を含む項目２に記載の方法。
［項目４］
前記ＭＩＭＯ信号は、ＮＴ個の送信アンテナを使用して基地局から送信され、
前記ＭＵ−ＳＮＲを計算する段階は、前記直交するプリコーディングベクトルのＮＴ−１個の候補について前記ＭＵ−ＳＮＲを計算する段階を有する項目２に記載の方法。
［項目５］
前記ＭＵ−ＳＮＲを計算する段階は、前記１以上のその他の端末宛ての前記１以上の送信に、電力レベルをそれぞれ割り当てる段階を有し、前記電力レベルのうちの少なくとも２つは、互いに異なっている項目２に記載の方法。
［項目６］
シングルユーザー信号対雑音比（ＳＵ−ＳＮＲ）を推定する段階を備え、
前記ＳＵ−ＳＮＲは、前記信号が前記端末宛てのみであるとの仮定の下で計算され、
前記フィードバックを送信する段階は、
前記ＳＵ−ＳＮＲに基づく第１フィードバック及び前記ＭＵ−ＳＮＲに基づく第２フィードバックを送信する段階を有する項目１に記載の方法。
［項目７］
前記第１フィードバック及び前記第２フィードバックを送信する段階は、
前記第１フィードバック及び前記第２フィードバックのうちの一方を、前記第１フィードバック及び前記第２フィードバックのうちの他方に対して差分的にエンコードされているフォーマットで送信する段階を含む項目６に記載の方法。
［項目８］
前記第１フィードバック及び前記第２フィードバックを送信する段階は、互いに独立してエンコードされた前記第１フィードバック及び前記第２フィードバックを送信する段階を含む項目６に記載の方法。
［項目９］
前記第１フィードバック及び前記第２フィードバックを送信する段階は、
第１更新レートで前記第１フィードバックを送信する段階と、
前記第１更新レートとは異なる第２更新レートで前記第２フィードバックを送信する段階とを含む項目６に記載の方法。
［項目１０］
前記通信フィードバックは、階数１のチャネル品質情報（ＣＱＩ）及び階数２のＣＱＩからなる群から選択される少なくとも１つのフィードバックの種類を含む項目１に記載の方法。
［項目１１］
受信機宛ての少なくとも１つの送信を含む複数入力複数出力（ＭＩＭＯ）信号を、通信チャネルを介して受信する前記受信機と、
受信された前記信号に基づいて、マルチユーザー信号対雑音比（ＭＵ−ＳＮＲ）を推定し、前記通信チャネルを示し前記ＭＵ−ＳＮＲに基づくフィードバックを計算するプロセッサと、
前記フィードバックを送信する送信機と
を備え、
前記ＭＵ−ＳＮＲは、前記受信機宛ての前記送信と前記信号の残りの成分との間の電力比を表し、前記信号の前記残りの成分は、１以上のその他の受信機宛ての１以上の送信を含むと仮定される装置。
［項目１２］
前記プロセッサは、前記受信機宛ての前記送信をプリコーディングするためのプリコーディングベクトルと直交するプリコーディングベクトルをそれぞれ使用して、前記１以上のその他の受信機宛ての前記１以上の送信がプリコードされるという仮定の下、前記ＭＵ−ＳＮＲを計算する項目１１に記載の装置。
［項目１３］
前記プロセッサは、前記直交するプリコーディングベクトルの複数の候補の間で、前記ＭＵ−ＳＮＲを平均化する項目１２に記載の装置。
［項目１４］
前記ＭＩＭＯ信号は、ＮＴ個の送信アンテナを使用して基地局から送信され、
前記プロセッサは、前記直交するプリコーディングベクトルのＮＴ−１個の候補について前記ＭＵ−ＳＮＲを計算する項目１２に記載の装置。
［項目１５］
前記プロセッサは、シングルユーザー信号対雑音比（ＳＵ−ＳＮＲ）を推定し、
前記ＳＵ−ＳＮＲは、前記信号が前記受信機宛てのみであるとの仮定の下で計算され、
前記プロセッサは、前記ＳＵ−ＳＮＲに基づく第１フィードバック及び前記ＭＵ−ＳＮＲに基づく第２フィードバックを計算する項目１１に記載の装置。
［項目１６］
前記プロセッサは、前記第１フィードバック及び前記第２フィードバックのうちの一方を、前記第１フィードバック及び前記第２フィードバックのうちの他方に対して差分的にエンコードされているフォーマットで計算する項目１５に記載の装置。
［項目１７］
前記プロセッサは、エンコードされた前記第１フィードバック及び前記第２フィードバックを互いに独立してエンコードする項目１５に記載の装置。
［項目１８］
前記通信フィードバックは、階数１のチャネル品質情報（ＣＱＩ）及び階数２のＣＱＩからなる群から選択される少なくとも１つのフィードバックの種類を含む項目１１に記載の装置。
［項目１９］
項目１１に記載の装置を備える携帯通信端末。
［項目２０］
携帯通信端末における信号を処理するチップセットであって、項目１１に記載の装置を備えるチップセット。